(57)【要約】【課題】タグ付けされた物品、特に高価値商品の認証のためのよりセキュアな形のタガント検証が必要である。【解決手段】検証可能な形で識別可能な物品であって、第一の方法によって暗号化された、物品の読み取り可能な暗号化された第一の識別子を符号化している一次タガントと、第二の方法によって必要に応じて暗号化された、物品の読み取り可能な暗号化された第二の識別子を符号化している二次タガントとを含む、物品。この一次タガントは、認証配列を含んでいるＤＮＡのような物理的識別タガントであってもよく、この二次タガントは、デジタル識別タガントであってもよい。デジタル識別タガントは、物理的なタガント中で実現される情報、例えば、ＤＮＡ内の規定の配列を参照することなどによって、物理的識別タガントの正当性を立証する情報を符号化する。【選択図】なし【特許請求の範囲】
【請求項１】
検証可能な形で識別可能な物品であって：
第一の方法によって暗号化された、該物品の読み取り可能な暗号化された第一の識別子を符号化している一次タガントと；
第二の方法によって暗号化された、該物品の読み取り可能な暗号化された第二の識別子を必要に応じて符号化している二次タガントと；
を含む、物品。
【請求項２】
前記一次タガントが、核酸、アミノ酸、ペプチド、ポリペプチド、タンパク質、微量元素または低分子のうちの１つ以上を含む、請求項１に記載の物品。
【請求項３】
前記一次タガントが、核酸を含み、かつ該核酸が、前記読み取り可能な第一の識別子を符号化している核酸配列を含む、請求項２に記載の物品。
【請求項４】
前記核酸配列が、約４塩基〜約２０，０００塩基の範囲である、請求項３に記載の物品。
【請求項５】
前記核酸配列が、約１０塩基〜約１０，０００塩基の範囲である、請求項４に記載の物品。
【請求項６】
前記核酸配列が、約１４塩基〜約２，０００塩基の範囲である、請求項５に記載の物品。
【請求項７】
前記物品の読み取り可能な暗号化された第二の識別子を符号化している前記二次タガントが、バーコード、磁気ストライプ、ホログラム、干渉縞、光媒体、マイクロドット、ＱＲコードまたはＲＦＩＤのうちの１つ以上を含む、請求項２に記載の物品。
【請求項８】
物品の識別および／または認証の方法であって：
第一の方法によって暗号化された、該物品の読み取り可能な暗号化された第一の識別子を符号化している一次タガントを提供する工程と；
第二の方法によって暗号化された、該物品の読み取り可能な暗号化された第二の識別子を必要に応じて符号化している二次タガントを提供する工程と；
該物品の該第一の識別子および第二の識別子を符号化している検索可能なセキュアなデータベースを提供する工程と
該第一の識別子および該第二の識別子を読み取る工程と；
該第一の識別子および該第二の識別子の該読み取りを、該物品の該第一の識別子および該第二の識別子を符号化している該検索可能なセキュアなデータベースと比較する工程と；
それによって、該物品を正規品か、または偽造品として識別する工程と、
を含む、方法。
【請求項９】
前記一次タガントが、核酸、アミノ酸、ペプチド、ポリペプチド、タンパク質、微量元素または低分子のうちの１つ以上を含む、請求項８に記載の方法。
【請求項１０】
前記一次タガントが、核酸を含み、該核酸が、前記読み取り可能な第一の識別子を符号化している核酸配列を含む、請求項８に記載の方法。
【請求項１１】
前記核酸配列が、約４塩基〜約１０，０００塩基の範囲である、請求項１０に記載の物品。
【請求項１２】
前記核酸配列が、約１０塩基〜約５，０００塩基の範囲である、請求項１１に記載の物品。
【請求項１３】
前記核酸配列が、約１４塩基〜約２，０００塩基の範囲である、請求項１２に記載の物品。
【請求項１４】
前記物品の読み取り可能な暗号化された第二の識別子を符号化している前記二次タガントが、バーコード、磁気ストライプ、ホログラム、干渉縞、光媒体、マイクロドット、ＱＲコードまたはＲＦＩＤのうちの１つ以上を含む、請求項８に記載の方法。
【請求項１５】
物品の識別および／または認証のためのシステムであって：
第一の方法によって暗号化された、該物品の読み取り可能な第一の識別子を符号化している一次タガントと；
第二の方法によって暗号化された、該物品の読み取り可能な第二の識別子を必要に応じて符号化している二次タガントと；
該物品の該第一の識別子および第二の識別子を符号化している検索可能なセキュアなデータベースと、
を含む、システム。
【請求項１６】
前記一次タガントが、核酸、アミノ酸、ペプチド、ポリペプチド、タンパク質、微量元素またはそれらの１つ以上の組み合わせを含む、請求項１５に記載のシステム。
【請求項１７】
前記一次タガントが、核酸を含み、該核酸が、前記読み取り可能な第一の識別子を符号化している核酸配列を含む、請求項１５に記載のシステム。
【請求項１８】
前記核酸配列が、約４塩基〜約１０，０００塩基の範囲である、請求項１７に記載の物品。
【請求項１９】
前記核酸配列が、約１４塩基〜約２，０００塩基の範囲である、請求項１７に記載の物品。
【請求項２０】
前記物品の読み取り可能な暗号化された第二の識別子を符号化している前記二次タガントが、バーコード、磁気ストライプ、ホログラム、干渉縞、光媒体、マイクロドット、ＱＲコードまたはＲＦＩＤのうちの１つ以上を含む、請求項１５に記載のシステム。
【発明の詳細な説明】
【技術分野】
【０００１】
関連出願
本出願は、その開示内容全体が本明細書において参照によって援用される、２０１２年５月９日出願の米国特許仮出願第６１／６４４，９３９号の恩典を請求する。
【０００２】
本発明の概念は、タガントが添付されている固別の物品またはアイテムの迅速なデジタル認証のための、タガントの同一性または他の特徴のステガノグラフィー暗号化に関し、この暗号化された情報が、該物品またはアイテムの迅速な識別および検証を可能にする。
【背景技術】
【０００３】
商品および他の物品は、アイテムに関連する暗号化された情報を担持する、該アイテムに付与されたタガントを用いて追跡および認証され得る。識別タグの一般に用いられる種類の１つは、バーコードである。バーコードは、平行なラインの幅および間隔を変化させることによるデータの表示である。ある物品で識別タグとして用いられる場合、そのバーコードは、バーコードのデコーダーまたはリーダーによって読み取り可能な、その物品に関連する符号化された情報を担持する。この技術の初期のバージョンは、ウッドランド（Ｗｏｏｄｌａｎｄ）およびシルバー（Ｓｉｌｖｅｒ）によって、１９５２年に、米国特許第２，６１２，９９４号で開示された。この技術は、異なる幾何学的記号を有する二次元のバーコードを用いてさらに多くの情報を記憶するように進化した。例えば、マトリックスコードまたはＱＲコードは、二次元のバーコードである。核酸を用いて、商品および他のアイテムの認証のための暗号化された情報を担持してもよい。例えば、Ｂ．リャン（Ｂ．Ｌｉａｎｇ）の欧州特許第１  ５６８  ７８３（Ｂ２）号：Ａ  ｎｕｃｌｅｉｃ  ａｃｉｄ  ｂａｓｅｄ  ｓｔｅｇａｎｏｇｒａｐｈｙ  ｓｙｓｔｅｍ  ａｎｄ  ａｐｐｌｉｃａｔｉｏｎ  ｔｈｅｒｅｏｆを参照のこと。
【０００４】
ＱＲコード（「クイック・リード（Ｑｕｉｃｋ  Ｒｅａｄ）」コード）は、それらのコンテンツを高速で解読することを可能にすることによって、最初に、トヨタの子会社であるデンソーにより１９９０年代に、製造中の自動車を追跡するために用いられた。ＱＲコードは、最もポピュラーな二次元のバーコードの１つとなった。光線によって情報が得られるように設計された初期のバーコードとは異なり、ＱＲコードは、プログラムされたプロセッサーによってデジタル分析できる二次元デジタル画像として、半導体ベースの画像センサーによって検出される。このプロセッサーは、ＱＲコードの３つの隅にある参照スクエアを見つけ、そのサイズ、方向および視覚の角度を正規化した後に画像を処理する。次いで、このコードの小さいドットを、二進数に変換して、それらの妥当性を誤り訂正コードでチェックすることが可能である。
【０００５】
同様に、ＲＦＩＤタグ（無線周波数識別（Ｒａｄｉｏ−Ｆｒｅｑｕｅｎｃｙ  ｉｄｅｎｔｉｆｉｃａｔｉｏｎ）タグ）は、データを電気的に、またはビット流として記憶し、これを見通し線外で機械によってワイヤレスで読み取ることができる。例えば、Ｍｉｃｒｏｃｈｉｐ  Ｔｅｃｈｎｏｌｏｇｉｅｓ  Ｉｎｃｏｒｐｏｒａｔｅｄの米国特許第６，０４３，７４６号を参照のこと。ＲＦＩＤは、拡張範囲（ｅｘｔｅｎｄｅｄ  ｒａｎｇｅ）ＲＦＩＤであってもよい：例えば、米国特許第６，１４７，６０６号。または制限範囲（ｒｅｓｔｒｉｃｔｅｄ  ｒａｎｇｅ）ＲＦＩＤについては、例えば、米国特許第６，０９７，３０１号を参照のこと。バーコードとは異なり、ＲＦＩＤは、リーダーの見通し線にある必要はなく、情報を得ようとする物品に組み込まれていることさえあり得る。これらの識別タグは、一般的な識別および追跡に有用であるが、容易にコピーされ得る。タグ付けされた物品、特に高価値商品の認証のためのよりセキュアな形のタガント検証が必要である。
【発明の概要】
【課題を解決するための手段】
【０００６】
ある実施形態では、本発明の概念は、第一の方法によって暗号化された、物品の読み取り可能な暗号化された第一の識別子を符号化している一次タガントと；第二の方法によって必要に応じて暗号化された、物品の読み取り可能な暗号化された第二の識別子を符号化している二次タガントとを含む、検証可能な形で識別可能な物品を提供する。一実施形態では、一次タガントは、物理的な識別タガント、例えば、認証配列を含んでいるＤＮＡであり、かつ二次タガントは、デジタル識別タガントである。別の実施形態では、デジタル識別タガントは、物理的なタガント中で実現される情報、例えば、ＤＮＡ内の規定の配列を参照することなどによって、物理的識別タガントの正当性を立証する情報を符号化する。
【０００７】
ある実施形態では、本発明の概念は、第一の方法によって暗号化された、物品の読み取り可能な暗号化された第一の識別子を符号化している一次タガントと；第二の方法によって暗号化された、物品の読み取り可能な暗号化された第二の識別子を必要に応じて符号化している二次タガントとを含む、検証可能な形で識別可能な物品を提供し、ここでこの一次タガントは、核酸（これは、一本鎖ＤＮＡ分子、二本鎖ＤＮＡ分子、ＤＮＡオリゴヌクレオチド、またはＲＮＡ分子のうちの１つ以上を含んでもよい）、アミノ酸、ペプチド、ポリペプチド、タンパク質、微量元素などのうちの１つ以上を含む。
【０００８】
ある実施形態では、本発明の概念は、第一の方法によって暗号化された、物品の読み取り可能な暗号化された第一の識別子を符号化している一次タガントと；第二の方法によって暗号化された、物品の読み取り可能な暗号化された第二の識別子を必要に応じて符号化している二次タガントと、を含む、検証可能な形で識別可能な物品を提供し、ここでこの一次タガントは、核酸を含み、かつこの核酸は、読み取り可能な第一の識別子を符号化している配列を含む。
【０００９】
ある実施形態では、本発明の概念は、第一の方法によって暗号化された、物品の読み取り可能な暗号化された第一の識別子を符号化している一次タガントと；第二の方法によって暗号化された、物品の読み取り可能な暗号化された第二の識別子を必要に応じて符号化している二次タガントと、を含む、検証可能な形で識別可能な物品を提供し、ここでこの二次タガントは、暗号化されてもよく、かつバーコード、磁気ストライプ、ホログラム、干渉縞、光媒体、マイクロドット、ＱＲコードまたはＲＦＩＤのうちの１つ以上に含まれ得るデジタル識別子である。
【００１０】
ある実施形態では、本発明の概念は、ある物品の識別および／または認証の方法を提供し：この方法は、例えば、第一の方法によって暗号化された、認証配列を有するＤＮＡ分子のような、この物品の読み取り可能な暗号化された第一の識別子を符号化している一次タガントを提供する工程と；第二の方法によって必要に応じて暗号化された、この物品の暗号化されたデジタルＤＮＡ配列などの、読み取り可能な暗号化された第二の識別子を符号化している二次タガントを提供する工程と；この物品の第二の識別子を符号化している検索可能なセキュアなデータベースを提供する工程と；この第一の識別子および第二の識別子を読み取る工程、ならびにこのデータベースにアクセスしてこの暗号化された第二の識別子について検索する工程と；この第一の識別子の読み取りを、この検索可能なセキュアなデータベース由来の第二の識別子と比較する工程と；それによって、この物品を正規品か、または偽造品として識別する工程と、を包含する。上記の開示された方法の一実施形態では、この一次タガントは、核酸、アミノ酸、ペプチド、ポリペプチド、タンパク質、微量元素などのうちの１つ以上を含む。本発明の概念の方法の別の実施形態では、一次タガントは、核酸を含み、この核酸は、読み取り可能な第一の識別子を符号化している配列を含む。さらに別の実施形態では、この二次タガントは、暗号化可能なデジタル識別子であって、バーコード、磁気ストライプ、ホログラム、干渉縞、光媒体、マイクロドット、ＱＲコードまたはＲＦＩＤのうちの１つ以上に含まれてもよいデジタル識別子である。
【００１１】
ある実施形態では、本発明の概念は、ある物品の信ぴょう性の検証の方法を提供する：この方法は、第一の方法によって暗号化された、例えば、認証配列を有するＤＮＡ分子のような、この物品の読み取り可能な暗号化された第一の識別子を符号化している一次タガントを提供する工程と；第二の方法によって必要に応じて暗号化された、物品の暗号化されたデジタルＤＮＡ配列などの、読み取り可能な暗号化された第二の識別子を符号化している二次タガントを提供する工程と；この物品の第二の識別子を符号化している検索可能なセキュアなデータベースを提供する工程と；この第二の識別子を読み取る工程およびこのデータベースにアクセスしてこの暗号化された第二の識別子について検索する工程と；この第二の識別子の読み取りを、この検索可能なセキュアなデータベース由来の識別子と照合する工程と；それによって、この物品を正規品として識別する工程と、を包含する。第二の任意の工程として、暗号化された第一の識別子は、読み取られて、認証のために、この物品の信ぴょう性のさらなる確認として、データベース中で列挙される識別子と比較されてもよい。
【００１２】
ある実施形態では、本発明の概念は、ある物品の識別および／または認証のためのシステムを提供し、このシステムは、第一の方法によって暗号化された、例えば、認証配列を有するＤＮＡ分子のような、この物品の読み取り可能な暗号化された第一の識別子を符号化している一次タガントと；第二の方法によって暗号化された、物品の暗号化されたデジタルＤＮＡ配列などの、読み取り可能な暗号化された第二の識別子を必要に応じて符号化している二次タガントと；この物品の第二の識別子を符号化している検索可能なセキュアなデータベースとを包含する。上記で開示されたシステムの一実施形態では、この一次タガントは、核酸、アミノ酸、ペプチド、ポリペプチド、タンパク質、微量元素などのうちの１つ以上を含む。本発明の概念のシステムの別の実施形態では、一次タガントは、核酸を含み、かつこの核酸は、読み取り可能な第一の識別子を符号化する配列を含む。さらに別の実施形態では、この二次タガントは、暗号化されてもよく、かつバーコード、磁気ストライプ、ホログラム、干渉縞、光媒体、マイクロドット、ＱＲコードまたはＲＦＩＤのうちの１つ以上に含まれ得るデジタル識別子である。
【００１３】
定義
本開示で用いる場合、低分子とは、生物学的プロセスの酵素基質または調節因子として機能し得る低分子量（約５００ダルトン未満）の有機化合物であり、サイズは１ナノメートル程度である。これらの化合物は、天然の分子、例えば、二次代謝物、合成分子、例えば、抗ウイルス化合物などであってもよい。
【００１４】
生体高分子、例えば、核酸、タンパク質、および多糖類（例えば、デンプンまたはセルロース）は、低分子ではないが、それらは、それぞれが低分子である、単量体のリボヌクレオチド、またはデオキシリボヌクレオチド、アミノ酸、および単糖類から構成される。短いオリゴマー（５００ダルトンの分子量未満）、例えば、ジヌクレオチド、および短いペプチドおよびポリペプチド、例えば、抗酸化物質グルタチオンおよび二糖類、例えば、スクロースは低分子である。
【００１５】
情報を符号化するとは、本明細書において用いる場合、認証または正当性の立証のために再取出可能な形で情報を記憶することを指す。
【００１６】
読み取り可能な符号化された識別子とは、本明細書において用いる場合、容易に解読できる物品またはアイテムを識別するために有用な暗号化された情報を指す。
【００１７】
タガントとは、本明細書において用いる場合、マーカーを指し、ある物品またはアイテムを固有に識別するために十分な符号化能力を有している任意の適切なマーカーであってよい。
【発明を実施するための形態】
【００１８】
本発明の概念の方法およびシステムは、物理的な暗号化タガントを包埋することによりタグ上にセキュリティの層を付加すること、およびそれらのデジタル表現を直接タグのコンテンツに暗号化することによって認証をもたらす。本発明の概念のＤＮＡセキュリティの解決法は、製品、ブランドおよび知的財産を、偽造および横流しから保護する。
【００１９】
ある実施形態では、本発明の概念は、ＤＮＡセキュア型の暗号化されたコードを提供し、これは、限定するものではないが、ＱＲコードまたはＲＦＩＤのような、任意の適切な暗号化方法によるものであって、セキュア形式で符号化されてもよい。暗号化された情報は、ＤＮＡ認証配列に相当し、かつ例えば、限定するものではないが、Ａｄｖａｎｃｅｄ  Ｅｎｃｒｙｐｔｉｏｎ  Ｓｔａｎｄａｒｄ，Ｓｅｃｕｒｅ  Ｈａｓｈ  Ａｌｇｏｒｉｔｈｍ、３ＤＥＳ、Ａｒｉａ、Ｂｌｏｗｆｉｓｈ、Ｃａｍｅｌｌｉａ、ＣＡＳＴ、ＣＬＥＦＩＡ、ＣＭＡＣ、Ｇｈｏｓｔ  ２８１４７、ＲＦＣ４３５７、ＲＦＣ４４９０、ＩＤＥＡ（Ｉｎｔｅｒｎａｔｉｏｎａｌ  Ｄａｔａ  Ｅｎｃｒｙｐｔｉｏｎ  Ａｌｇｏｒｉｔｈｍ）、Ｍａｒｓ、ＭＩＳＴＹ１、Ｒａｂｂｉｔ、ＲＣ２、ＲＣ４、ＲＣ５、ＲＣ６、Ｒｉｊｎｄａｅｌ、ＲＳＡ、Ｓｅｅｄ、Ｓｋｉｐｊａｃｋ、Ｓｏｂｅｒ、Ｓｅａｌ、ＴｗｏｆｉｓｈおよびＷ７アルゴリズムのような、任意の適切な符号化システムで暗号化されてもよい。
【００２０】
ＤＮＡまたはセキュア型の暗号化されたコード、例えば、生物学的分子、例えば、核酸、アミノ酸、ペプチド、ポリペプチド、タンパク質、もしくは微量元素マーカー、または他の適切なマーカー、例えば、識別可能な低分子などが、タガントを担持している物理的なタグのマトリックスに組み込まれ、これは、任意の適切な方法によって塗布されるニスまたはインクなどを用いる表面マーキング、例えば、限定するものではないが、インクジェットインク、フレキソインク、トナー、エポキシインク、リソグラフィー、ラッカーでのコーティング、プラズマ処理、およびマトリックス上や織布の繊維上へのマーカーの沈着、または、ＤＮＡもしくは他の適切なタガント、例えば、限定するものではないが、核酸、アミノ酸、ペプチド、ポリペプチド、タンパク質、射出成形されるマトリックス材料へ組み込まれた微量元素マーカー、を有する材料の射出成形、等によるものであってよい。
【００２１】
理論上、ＤＮＡは、一本鎖ＤＮＡの１ヌクレオチドあたり２ビット、または１グラムあたり４５５エクサバイト（つまり１グラムあたり１０〜１８パワーである）を符号化可能であり、ほとんどのデジタル記憶媒体と対照的に、ＤＮＡ記憶は、平面層に限定されず、長時間の間隔にわたって理想的な条件を下回る劣化にかかわらず読み取り可能である場合が多い。本発明の概念の実施において有用な、組み込みに適したＤＮＡ分子および方法としては、Ａｐｐｌｉｅｄ  ＤＮＡ  Ｓｃｉｅｎｃｅｓ，Ｉｎｃ．の米国特許第８，１２４，３３３号；同第８，３７２，６４８号；同第８，４１５，１６４号；同第８，４１５，１６５号；同第８，４２０，４００号；および同第８，４２６，２１６号に開示されるＤＮＡ分子法が挙げられる。
【００２２】
ある実施形態では、この新規なコードは、モバイルコミュニケーションの適応性、セキュアなクラウドベースのデータの即時アクセス、およびアイテムの追跡および認証を速く、容易に、確実にするためのＤＮＡの絶対的確実性を利用しながら、一方で新規でかつ刺激的な顧客インターフェースを創出する機会を提供する、ｄｉｇｉｔａｌＤＮＡ（商標）と名付けられたセキュリティツールである。
【００２３】
ある実施形態では、ＤＮＡセキュアの暗号化されたコードは、セキュアＱＲコード内の配列暗号化され、コードを印刷するために用いられるインク内に物理的に含まれている、植物のＤＮＡマーカーなどの、ＤＮＡマーカーの法医学的な認証を用いる。このＤＮＡマーカーは、任意のＤＮＡマーカーであって、天然であっても、または合成であっても、または半合成であってもよい。半合成のマーカーＤＮＡとは、合成および天然のフラグメントのライゲーションによって、またはランダムもしくは所定の順序による天然のＤＮＡのフラグメントの再ライゲーションによって、新しい配列を創出するためにアセンブルされる、天然および非天然の配列を有するＤＮＡ分子である。例えば、天然の植物ＤＮＡ配列を有している植物ＤＮＡ分子は、制限酵素で消化されてもよく、かつその消化物は、ランダムな順序でフラグメントを再配列して、それによって天然でない配列を創出するように処理されたリガーゼであってもよい。ＱＲコードは、補助的な暗号化された情報または他のデータ、例えば、タグ付けされたアイテムまたは物品の連番、製造業者、その日付、位置、およびＱＲコードを担持するアイテムまたは物品に特異的な任意の他の所望のデータを符号化してもよい。結果として得られたパターンは、該パターン中の情報をスキャンおよび解読することができるアプリケーションプログラムをインストールされたスマートフォン（例えば、限定するものではないが、ｉＰｈｏｎｅ（登録商標）またはＤｒｏｉｄ）を用いてスキャンされ得る。これらのモバイルスキャンは、限定するものではないが、サプライチェーンに沿ったいずれで行われてもよい。このアプリケーションソフトウェア（一般には、「Ａｐｐ」と呼ばれる）は、デジタルタガントを読み取り、これは、ＱＲ記号内に符号化された、ＤＮＡ配列のような、物理的タガントのデジタル表現である。この方法によって、この技術は、検証の域を越えて、ロジスティック用途のためのデジタル追跡まで拡張される。
【００２４】
ある実施形態では、本発明の概念はまた、ＤＮＡセキュアの暗号化されたコードであって、セキュアＱＲコード内で配列暗号化され、このコードおよび適切な追加のマーカー、例えば、蛍光マーカーなどを印刷するために用いられるインク内に物理的に含まれるコードを提供する。ある実施形態では、セキュアな暗号化されたコードを符号化しているＤＮＡは、セキュアＱＲコードまたは他の物理的な暗号化コード中に含まれる代わりに、追加のマーカーとともに配置され得る。
【００２５】
ある実施形態では、本発明の概念は、検証可能な形で識別可能な物品であって、第一の方法によって暗号化された、物品の読み取り可能な暗号化された第一の識別子を符号化している一次タガントであって、例えば、それが添付されるアイテムに対して固有のＤＮＡ配列を符号化しているＤＮＡ分子などの、一次タガントと；第二の方法によって暗号化された、物品の読み取り可能な暗号化された第二の識別子を必要に応じて符号化している二次タガントとを含む、検証可能な形で識別可能な物品を提供する。この二次タガントは、任意の適切なタガント、例えば、バーコード、磁気ストライプ、ホログラム、干渉縞、光媒体、マイクロドット、ＱＲコードまたはＲＦＩＤなどであってもよい。この二次タガントは、それが添付されるアイテムに対して固有の暗号化された第二のセキュリティコード配列を符号化してもよいし、あるいは、この二次タガントは、検証のためのセキュアなオンラインサーバーにアクセスするために用いられるアクセスキーを符号化し得る。この検証は、コンピューターデータベース中に記憶された読み取り可能な暗号化された第一の識別子を符号化している一次タガントのＤＮＡ配列の比較によってもよい。このデータベースは、任意のデータベース、例えば、ローカルエリアネットワークのサーバー、または承認されたユーザーのみアクセス可能なクラウドベースのサーバー上のデータベースなどであってもよい。
【００２６】
ある実施形態では、このスキャンは、顧客のみアクセス可能な「プライベートクラウド」のような「セキュアクラウド」中のセキュアなデータベースにワイヤレスで問い合わせ、コンピューターモニターまたはスマートフォンの画面上に得られた分析を戻して提示する。追跡情報は、「調整可能なアルゴリズム（ｔｕｎａｂｌｅ  ａｌｇｏｒｉｔｈｍｓ）」に供給され、これは、パターン認識を用いて、偽造品または製品の横流しについて、サプライチェーンのリスクを自動的に識別する。ＤＮＡマーカーに関連する迅速読み取りレポーターもまた、インクに包埋されて、セキュアなコードがデジタルコピーされることを防いでもよい。このようなＤＮＡセキュア型の暗号化されたコードに含まれるＤＮＡマーカーは、真正性の絶対的な証明が必要である法医学的な認証を容易にする。タグ中のＤＮＡの法医学的認証は、解読されたＤＮＡセキュア型の暗号化されたコードで見出される配列に一致しなければならない。例えば、クラウドコンピューティング、モバイルデバイスおよびロジスティックスなどの用途は、送信中および休止期のデータの高度な暗号化を含めて、利用可能な最高のセキュリティを必要とする。ＤＮＡセキュアの暗号化されたコードを用いて、個々にパッケージングされたアイテム、例えば、薬品または高級品を、そのアイテム上のスペースがコードマトリックスを印刷するために利用可能である場合、追跡してもよい。マイクロチップのような、マトリックスには小さすぎるアイテム上には、ＤＮＡセキュアの暗号化されたコードを、ロット発送に用いてもよい。
【００２７】
ある実施形態では、本発明の概念の技術は、非セキュアＱＲコードが脆弱であることが周知のフィッシング詐欺のリスクを回避するが、他の指標、例えば、サプライチェーンを通じた地理位置情報および時間の刻印によって、さらなる信ぴょう性が付け加えられる。ｉＰｈｏｎｅ（登録商標）プラットフォームの普及によって、消費者は、認証スキームに、迅速かつ容易に参加可能になる。さらにエンドユーザーは、賞味期限および有効期限を確認し、リアルタイムまたはビデオの技術サポートに接続し、ローカル資源を識別し、容易に追加注文し、かつピアツーピアの販売に参加できる。
【００２８】
本発明の概念のある実施形態では、物理的なタガントの特徴、例えば、限定するものではないが、ＤＮＡ分子の重要な配列など（二次コードに適合する識別性配列）、例えば、ＳｉｇＮａｔｕｒｅ（登録商標）ＤＮＡ配列が、例えば、バーコード、ＱＲコード、またはＲＦＩＤであってもよいデジタル構成要素へ暗号化される。次いで、このデジタルコンテンツはラベルに組み込まれる。同時に、物理的なタガント、例えば、ＳｉｇＮａｔｕｒｅ（登録商標）ＤＮＡがまた、インクでラベル上に、または担体を介して、または化学結合によって、印刷されてもよい。次いで、ラベルを担持している物品は、暗号化されたデジタル情報と、ＳＱＬのようなセキュアなデータベースに記憶された情報とを比較することによって即座に検証され得る。ＳＱＬは、ローカルもしくはワイドエリアネットワーク上であり得るか、またはクラウドベースであり得る、サーバー上のデータの記憶および検索のためのリレーショナルデータベースである。用いられる主要な問い合わせ言語は、Ｔ−ＳＱＬおよびＡＮＳＩ−ＳＱＬであり、かつ限定するものではないが、Ｗｉｎｄｏｗｓ  ＸＰ、ＶＩＳＴＡ、Ｗｉｎｄｏｗｓ  ７、Ｓｅｒｖｅｒ  ２００３、Ｓｅｒｖｅｒ  ２００８、Ｒ２、およびＳｅｒｖｅｒ  ２０１２を含む種々のオペレーティングシステムと適合する。さらに、全体の認証は、ＳｉｇＮａｔｕｒｅ（登録商標）ＤＮＡを読み取ること（およびデジタルＤＮＡ情報に対する比較によって生じてもよい。ある一致は、そのアイテムが正規品であることを示し、一致なし／存在なしは、そのアイテムが正規品ではないことを示す。ある実施形態では、ＤＮＡ分子の重要な配列は、約４塩基〜約２０，０００塩基の範囲である。あるいは、バーコードに一致するＤＮＡ分子の重要な識別性配列は、約１０塩基〜約５，０００塩基の範囲であってもよいし、または約１４塩基〜約２，０００塩基の範囲であってもよい。
【００２９】
ある実施形態では、ＤＮＡセキュア型の暗号化されたコードのプラットフォームは、クレジットカード取引を取り扱うために策定された新規でかつ厳格な標準である、ＰＣＩ（Ｐａｙｍｅｎｔ  Ｃａｒｄ  Ｉｎｄｕｓｔｒｙ）Ｓｅｃｕｒｉｔｙ  Ｓｔａｎｄａｒｄｓ  Ｃｏｕｎｃｉｌによって規定されるコンプライアンスの詳細を満たすように設計される。別の実施形態では、本発明の概念のＤＮＡセキュア型の暗号化されたコードプラットフォームは、個人の健康情報を保護するための、ＨＩＰＡＡ（Ｈｅａｌｔｈ  Ｉｎｓｕｒａｎｃｅ  Ｐｏｒｔａｂｉｌｉｔｙ  ａｎｄ  Ａｃｃｏｕｎｔａｂｉｌｉｔｙ  Ａｃｔ）の厳格な要件を満たす。関連の製品であるＳｉｇＮａｔｕｒｅ（登録商標）ＤＮＡは、基本的にはコピー不能であり、かつ裁判所で利用可能な一連の法医学的証拠をもたらし得る、固有の方式で製品を認証するために用いられる植物性のＤＮＡマーカーである。
【００３０】
ある実施形態では、ＤＮＡセキュア型の暗号化されたコードが、天然でない配列の完全に合成のＤＮＡ分子に合成され得る。あるいは、この合成のＤＮＡ分子は、必要な情報をコードし、かつデータベース記憶の必要性を取り除くように設計され、合成され得る。例えば、ＤＮＡ配列の記憶能力の詳細については、２０１２年９月２８日刊行（２０１２年８月１６日、ｅＰｕｂ）のＣｈｕｒｃｈ，Ｇ．、Ｙ．Ｇａｏ）、Ｓ．Ｋｏｓｕｒｉ（２０１２年）「Ｎｅｘｔ−Ｇｅｎｅｒａｔｉｏｎ  Ｄｉｇｉｔａｌ  Ｉｎｆｏｒｍａｔｉｏｎ  Ｓｔｏｒａｇｅ  ｉｎ  ＤＮＡ」、Ｓｃｉｅｎｃｅ、第３３７巻（６１０２）１６２８ページ以下参照。材料および方法に関する関連の補足資料、補遺テキスト、図Ｓ１およびＳ２、表Ｓ１〜Ｓ３および引用文献（１５〜３５）も参照のこと。著者らは、デジタル情報が、驚くべき速度で蓄積されており、それを記憶し保管する能力が制限されていると述べている。さらに、なかでもＤＮＡは、もっとも高密度であり、安定な情報媒体として公知である。ＤＮＡの合成および配列決定の両方における新規な技術の開発によって、ＤＮＡはますます実現可能なデジタル記憶媒体となる。Ｃｈｕｒｃｈらは、ＤＮＡ中に任意のデジタル情報を符号化するためのストラテジーの開発を記載しており、ＤＮＡマイクロチップを用いて、５．２７メガビットの書籍を符号化しており、次世代のＤＮＡ配列決定を用いることによって全体的なＤＮＡ符号化された書籍を解読した。ＤＮＡ分子のコレクションにおける情報の記憶のためのこの能力により、型、モデルおよび製造番号；製造日、供給業者、製造に用いられる全てのパーツの組み込みの位置およびタイミング、ならびに商業的流通における全ての通過地点の位置およびタイミングのような特定のアイテムに関連する、場合によっては無制限の情報が、商業的流通における各位置で新しい情報を有する新規なＤＮＡ配列を付加することによって得られる。
【００３１】
ＤＮＡセキュアの暗号化されたコードは、直接および既存のチャネルを通じて、任意の商品、バルクアイテムまたは個別アイテムの供給ビジネスに対して販売されてもよい。本発明の概念の方法およびシステムの恩恵を受け得るビジネスとしては、例えば、限定するものではないが、電子機器、機械および構成要素、例えば、ボールベアリング、武器および兵器、コネクター、車両および車両部品（例えば、ボディ、エンジンおよびホイールなど）、コネクター、ファスナー；ならびにまた、いくつか例だけ挙げれば、パッケージング、食品、および栄養サプリメント、薬剤、布地、衣類、高級品およびパーソナルケア製品を含む、サプライチェーンがある任意の種類のビジネスに関与し得る、地方、国および多国籍ビジネスが挙げられる。
【実施例】
【００３２】
実施例１：暗号化の２つの形態としての、固有のＤＮＡの包含。１つは、ＱＲコード中、もう１つは、その認証のため、ＱＲコードを印刷するために用いられるインク中。
この第一の形態は、ＱＲコードの情報コンテンツへ組み込まれる固有のＤＮＡ配列のデジタル表現への暗号化である。第二の形態の暗号化は、固有の物理的ＤＮＡ配列を用いて印刷用インクへ包埋する。ＱＲコードは、その固有の物理的ＤＮＡ配列を含むこのインクを用いて印刷する。デジタル表現の急速なスクリーニングのために、最初にＱＲコードをスキャナーで読み取る。次いで、このコードを、クラウドコンピューティングのような処理機械によって、スキャニングおよび解読アルゴリズムを用いて、インク内のＤＮＡ配列と同じＤＮＡ配列へと、電気的に解読する。セキュアに維持されているデータが、ＱＲコード中に記憶された付随するデータコンテンツと一致するならば、ＱＲコードを検証する。その暗号化されたデジタル表現に相当するＤＮＡ配列を、Ａｐｐを介してセキュアなクラウドベースのデータから取り出す（「Ａｐｐ」は、任意の適切なスマートフォンであっても、または同様のアプリケーションであってもよく、Ａｐｐｌｅおよび／またはＤｒｏｉｄを通じて登録されてもよい）。その配列は、認証を容易にするＱＲコードを印刷するために用いられるインク中の物理的な配列に相当する。そのデータベースは、クラウドベースであってもよいＳＱＬデータベース上でホスティングされる。認証のためには、ＱＲコード由来のデジタルＤＮＡ配列を、任意の種々の周知の技術、例えば、特定のプライマー対との規定の長さのアンプリコンを生じるためのポリメラーゼ連鎖反応（ＰＣＲ：ｐｏｌｙｍｅｒａｓｅ  ｃｈａｉｎ  ｒｅａｃｔｉｏｎ）による増幅などを含む、法医学的技術を用いて、化学的に誘導し、そして必要に応じて、配列決定によって確認し、適切な電気泳動法によって、例えば、キャピラリー電気泳動などによって分解したインク中の物理的なＤＮＡ配列と一致しなければならない。
【００３３】
実施例２：ＲＦＩＤタグに対する複数のＤＮＡ配列および微量元素の組み合わせの包含、および認証のためのＤＮＡ配列のＲＦＩＤタグの電子的コンテンツへの暗号化。
複数のＤＮＡ配列および微量元素の組み合わせを、ＲＦＩＤタグ中に組み込む。複数のＤＮＡ配列および微量元素の組み合わせを、ＲＦＩＤタグ上のデータコンテンツで記憶された電気的ビット流に暗号化する。この全体的なデータコンテンツを、コンピューターに対して作動可能に連結されるように構成しているＲＦＩＤスキャナーによって読み取ってもよく、次にこのコンピューターを用いて、検証のためのセキュアなオンラインサーバーにアクセスする。このデータベースは、例えば、Ｍｉｃｒｏｓｏｆｔ  Ａｃｃｅｓｓを用いてローカルホストされる。このコードを、ＲＦＩＤシグナルによって暗号化し（公知のまたは独自の暗号化符号化法を介して）、受信側で対応する解読プログラムによって解読した。次に、複数のＤＮＡ配列と微量元素との組み合わせを、認証のために技術者が分析する。
【００３４】
実施例３：特定の芸術品のトラックアンドトレース履歴。
固有のＤＮＡマーカーおよび透明なコーティングと混合されたアップコンバート性リン（ＵＣＰ：ｕｐ  ｃｏｎｖｅｒｔｉｎｇ  ｐｈｏｓｐｈｏｒ）を、芸術家が用いて芸術品を識別する。例えば、ＤＮＡマーカーおよびＵＣＰを用いて、その芸術家のサインおよび／またはＱＲコードをカバーしてもよい。芸術品が異なる所有者に持ち主が変わる時、これらの芸術品をスキャンして、中央化されたクラウドデータベースに登録して、その芸術品の最終登録、および所有権の過去の履歴、およびその所在を得る。ある芸術品の信ぴょう性を検証するために、最初にＱＲコードを、パターン認識を用いてスキャンして、その芸術品を認証するＤＮＡ配列を検証する。さらに、認証のために、ＱＲコード由来の（またはサインの上の）デジタルＤＮＡ配列は、例えば、特定のプライマー対を利用する規定のフラグメント長アンプリコンを生じるためのポリメラーゼ連鎖反応（ＰＣＲ）による増幅のような、任意の種々の周知の法医学的技術を含む、分析技術を用いてインク中の物理的なＤＮＡ配列と一致しなければならず、必要に応じて、配列決定によって確認して、適切な電気泳動法によって、例えば、キャピラリー電気泳動などによって、分解する。
【００３５】
実施例４：来歴および鮮度を得るための固有のＤＮＡおよびＱＲコードの包含。
水揚げされたばかりの魚を処理して、地理位置情報および時刻印を含む、ＱＲコードに組み込まれたＤＮＡインクで印刷されたタグとともにパッケージングする。種、鮮度および由来は、サプライチェーンから最終消費者へ検証し得る。ｉＰｈｏｎｅ（登録商標）プラットフォームが遍在することによって、消費者は認証スキームへ、迅速かつ容易に参加することが可能になる。さらに、エンドユーザーは、鮮度および有効期限を確認して、リアルタイムまたはビデオの技術サポートに接続し、ローカル資源を識別し、容易に追加注文し、ピアツーピア販売に参加することができる。さらに、ＤＮＡを含んでいるＱＲコード由来のサンプルを認証のために提出してもよい。ＱＲコード由来のデジタルＤＮＡ配列は、例えば、特定のプライマー対を利用する規定のフラグメント長のアンプリコンを生じるためにポリメラーゼ連鎖反応（ＰＣＲ）による増幅のような、任意の種々の周知の法医学的技術を含む分析技術を用いて、インク中の物理的なＤＮＡ配列と一致しなければならず、必要に応じて、配列決定によって確認して、適切な電気泳動法によって、例えば、キャピラリー電気泳動などによって、分解する。
【００３６】
実施例５：ＲＦＩＤタグに対するＤＮＡ配列（単数または複数）および微量元素（単数または複数）および／または低分子（単数または複数）の組み合わせの包含、ならびに認証のためのＲＦＩＤタグの電気的コンテンツへのＤＮＡ配列（単数または複数）および微量元素（単数または複数）および／または低分子（単数または複数）の同一性の暗号化。
複数のＤＮＡ配列および微量元素および／または低分子の組み合わせを、ＲＦＩＤタグに組み込む。ＤＮＡ配列（単数または複数）および微量元素（単数または複数）および／または低分子（単数または複数）の組み合わせを、ＲＦＩＤタグ上のデータコンテンツで記録した電気的ビット流として暗号化する。この全体的なデータコンテンツは、検証のためにセキュアなオンラインサーバーにアクセスするために用いられるコンピューターに構成されるＲＦＩＤスキャナーによって読み取られ得る。このコードを、ＲＦＩＤシグナルによって暗号化し、対応する解読プログラムによって受信側で解読する。次いで、ＤＮＡ配列（単数または複数）および微量元素（単数または複数）および／または低分子（単数または複数）の組み合わせを認証のために実験室の技術者が分析する。
【００３７】
実施例６：バーコードを印刷するために用いられるインク中の固有のＤＮＡマーカーおよび迅速リーダーの包含、ならびに認証のためのＤＮＡ配列の暗号化。
ＤＮＡの配列および迅速リーダーのカラーコードは、数値的なハッシュキーへ暗号化されて、数値的なバーコードが得られる。バーコードは、ＤＮＡマーカーを含むインクを用い、インクジェットプリンターを用いて、物品上に直接、または物品に添付されるラベル上に、印刷される。バーコードの迅速なスクリーニングのために、まず紫外光を用いて、ラベル中で蛍光（単数または複数）を励起させて、カラーコードに変換され得る公知の可視の優勢な色を生じる。次に、独自のバーコードスキャナーを用いて、バーコードを読み取る。この情報をサーバーに送信して、そこでソフトウェアが、ハッシュキーからＤＮＡ配列を、Ｐｒｏｌｏｇデータベースライブラリーからカラーコードを抽出する。最終的に、技術者は、このキーから得られたＤＮＡ配列を、ＤＮＡ配列へ、ＤＮＡ分析を用いて検証する。
【００３８】
実施例７：磁気ストライプカードを作成するために用いられる磁気微粒子コーティング中の固有のＤＮＡ配列および／またはペプチド、またはポリペプチドの包含、ならびに認証のためのＤＮＡ配列の暗号化。
複数のＤＮＡ配列および／またはポリペプチド、タンパク質、例えば、限定するものではないが、抗原、エピトープおよび免疫グロブリンの組み合わせを、磁気ストライプカード、例えば、クレジットカード、ＩＤカードなどをコーティングするために用いられる磁気粒子と混合する。複数のＤＮＡ配列および／またはポリペプチド／タンパク質の組み合わせを、磁気ストライプカード上のデータコンテンツで書かれた電気的データに暗号化する。この全体的なデータコンテンツは、セキュアなオンライン検証のためにコンピューターに対して作動可能に連結されるように構成されている、磁気ストライプリーダーで読み取ってもよい。このコードを、磁気的に暗号化し（公知のまたは独自の暗号化符号化法を介して）、読み取り側で対応する解読プログラムによって解読した。複数のＤＮＡ配列および／またはポリペプチド／タンパク質との組み合わせを次に認証のために実験室で分析する。
【００３９】
実施例８：光学的カードを作成するために用いられる固有のＤＮＡ配列および光学式色素の包含、ならびに認証のためのＤＮＡ配列の暗号化。
複数のＤＮＡ配列および光学色素の組み合わせを混合して用いて、ピットおよびグルーブ中の代表的な情報を含んでいる射出成形された光学媒体をコーティングして、干渉パターンおよびホログラフィック干渉パターンを得る。複数のＤＮＡ配列および特徴的な光学的色素の組成の組み合わせを、これらの光学媒体上のデータコンテンツで書かれた電気的データに暗号化する。全体的なデータコンテンツは、レーザーによって読み取ることが可能で、そのシグナルは、代表的なデータを読み取り可能な情報へ変換するソフトウェアを有するカメラによって捕獲される。この情報をセキュアなオンライン検証に伝達する。次いで、複数のＤＮＡ配列を認証のために実験室で技術者が分析する。
【００４０】
本明細書に提供される詳細な説明および実施例は、例示を目的としたものに過ぎず、本発明の概念の範囲を限定すると解釈されるべきものではない。本明細書に引用される特許および他の引用文献は、その全体が参照によって本明細書に援用される。本明細書に規定される用語が、本明細書に援用される１つ以上の引用文献または特許を用いた場合の用語の定義と矛盾する場合は、本出願の明細書に示される意味であるものとする。本明細書に引用される特許および他の引用文献は、その全体が参照によって本明細書に援用される。
【国際調査報告】
2015523626.tif 000002